(57)【特許請求の範囲】
【請求項１】
器具本体と、
前記器具本体を設置箇所に支持する支持装置と、を備え、
前記支持装置は、
前記器具本体に結合される一対のアーム部と、
一対の前記アーム部に亘って延び、これら前記アーム部を両端で支持するとともに、設置箇所に固定されるバー部と、
前記アーム部と前記バー部との間に介在し、前記バー部から前記アーム部に伝導する振動、及び衝撃を緩衝する緩衝装置と、を備え、
前記アーム部、及び前記バー部は、前記緩衝装置を挟み込む平面部を備え、
前記アーム部、及び前記バー部の平面部は、前記アーム部及び前記バー部のそれぞれの端部を折り曲げて形成されており、且つ当該折り曲げられた方向と直交する方向に位置する端部には折曲片を有する
ことを特徴とする照明器具。
【請求項２】
前記アーム部、及び前記バー部の平面部のそれぞれの端部の前記折曲片は、互いに同一方向に折れ曲がっている
ことを特徴とする請求項１に記載の照明器具。
【請求項３】
前記折曲片の折り曲げ方向が下向きである
ことを特徴とする請求項２に記載の照明器具。
【請求項４】
前記緩衝装置は、
一対の平板と、これら平板の間に渡って螺旋状に旋回形成されたワイヤ線とを備えたヘリカルアイソレータである
ことを特徴とする請求項１〜３のいずれかに記載の照明器具。
【発明の詳細な説明】
【技術分野】
【０００１】
本発明は、衝撃や振動に耐える照明器具に関する。
【背景技術】
【０００２】
高天井用の照明器具として、耐震・耐衝撃型の照明器具が知られている。この種の耐震・耐衝撃型の照明器具は、振動が多い工場、或いは、横方向からの振動、及び衝撃が多いクレーン・ホイスト等の運搬機械に設置されて使用されている（例えば、特許文献１、特許文献２、及び特許文献３参照）。
また、高天井用の照明器具には、器具本体がアングルを介して天井に吊下げ支持されるものが知られている（例えば、特許文献４参照）。
【先行技術文献】
【特許文献】
【０００３】
【特許文献１】実公昭５３−５２３０１号公報
【特許文献２】実開平２−７４７１３号公報
【特許文献３】特開２０１４−２６９５７号公報
【特許文献４】特開２０１３−６５４１１号公報
【発明の概要】
【発明が解決しようとする課題】
【０００４】
しかしながら、アングルによって器具本体を支持した場合、十分な耐振性、及び耐衝撃性が得られない、という問題がある。
そこで、本発明は、耐振性、及び耐衝撃性を有する照明器具を提供することを目的とする。
【課題を解決するための手段】
【０００５】
上記目的を達成するために、本発明は、器具本体と、前記器具本体を設置箇所に支持する支持装置と、を備え、前記支持装置は、前記器具本体に結合される一対のアーム部と、一対の前記アーム部に亘って延び、これら前記アーム部を両端で支持するとともに、設置箇所に固定されるバー部と、前記アーム部と前記バー部との間に介在し、前記バー部から前記アーム部に伝導する振動、及び衝撃を緩衝する緩衝装置と、を備え、前記アーム部、及び前記バー部は、前記緩衝装置を挟み込む平面部を備え、前記アーム部、及び前記バー部の平面部は、前記アーム部及び前記バー部のそれぞれの端部を折り曲げて形成されており、且つ当該折り曲げられた方向と直交する方向に位置する端部には折曲片を有することを特徴とする照明器具を提供する。
【０００６】
また本発明は、上記照明器具において、前記アーム部、及び前記バー部の平面部のそれぞれの端部の前記折曲片は、互いに同一方向に折れ曲がっていることを特徴とする。
【０００７】
また本発明は、上記照明器具において、前記折曲片の折り曲げの方向が下向きであることを特徴とする。
【０００８】
また本発明は、上記照明器具において、前記緩衝装置は、一対の平板と、これら平板の間に渡って螺旋状に旋回形成されたワイヤ線とを備えたヘリカルアイソレータであることを特徴とする。
【発明の効果】
【０００９】
本発明によれば、器具本体に結合される一対のアーム部とバー部との間に介在し、バーからアーム部に伝導する振動、及び衝撃が緩衝装置によって緩衝される。これにより、バー部を設置箇所に固定して器具本体を支持する構成の照明器具において、十分な耐振性、及び耐衝撃性の両方を備えた器具が実現される。
【図面の簡単な説明】
【００１０】
【図１】本発明の実施形態に係る高天井用照明器具の斜視図である。
【図２】器具本体の組立図である。
【図３】吊下げアングル装置の斜視図である。
【図４】吊下げアングル装置の組立図である。
【図５】本発明の変形例に係る高天井用照明器具の構成を示す図である。
【発明を実施するための形態】
【００１１】
以下、図面を参照して本発明の実施形態について説明する。
図１は本実施形態に係る高天井用照明器具１の構成を示す斜視図である。
この高天井用照明器具１は、振動や衝撃が多い設置箇所での使用にも耐える耐震、及び耐衝撃型の照明器具であり、例えば、工場等の建物の天井や壁面、或いは、クレーン・ホイスト等の運搬機械に設置されて使用される。
図１に示すように、高天井用照明器具１は、器具本体２と、支持装置１０とを備えている。
【００１２】
図２は、器具本体２の組立図である。
器具本体２は、図１、及び図２に示すように、高天井照明用の光源を内蔵した複数（図示例では２つ）の照明ユニット３と、天板４と、連結リング５と、点灯ユニット６と、を有している。
【００１３】
照明ユニット３のそれぞれは、放熱性が高い高熱伝導材料から形成され、かつ、多数の放熱フィン７が一体に形成された筐体３Ａを有し、これら筐体３Ａ、及び放熱フィン７を通じて光源の発熱を外部に放熱する。この筐体３Ａは、横幅よりも高さが小さい薄い円筒形に形成されており、底面には、照明光が出射される出射口が開口し、当該出射口を塞ぐ前面カバー８Ａを有したフランジ８が設けられている。また、上記多数の放熱フィン７は、この筐体３Ａの天面に設けられている。
これら照明ユニット３は、互いのフランジ８が図示せぬ連結具によって連結されている。
【００１４】
連結リング５は、全ての照明ユニット３を包囲するリング状の部材である。連結リング５には、それぞれの照明ユニット３のフランジ８が連結されている。これにより、複数の照明ユニット３が連結リング５によって纏められた外観が得られるので、複数の照明ユニット３を有する構成においても、全体的な一体感を生じさせ、意匠性の向上が得られる。また、この連結リング５に、それぞれの照明ユニット３が連結されるので、振動や衝撃が加わった場合でも、照明ユニット３が個々に振れ、衝突するのが防止される。
【００１５】
天板４は、個々の照明ユニット３の上方に配置され、かつ高い剛性を有した板状の部材であり、上記支持装置１０によって吊下げ支持される。
個々の照明ユニット３は、筐体３Ａの天面に立設された複数本の支持棒９を有し、この支持棒９がネジ１３で天板４の下面４Ａに締結され、これにより、照明ユニット３が天板４に下面４Ａの側で支持される。
この器具本体２では、天板４は、平面視において照明ユニット３を覆い隠す寸法形状の円板状に形成されており、埃や塵などが照明ユニット３の筐体３Ａの天面、特に放熱フィン７同士の間に堆積し難くなっている。
【００１６】
点灯ユニット６は、照明ユニット３の各々を点灯する回路であり、図１に示すように、天板４の上面４Ｂに載置され、点灯用の回路を内蔵したユニットケース１１を備えている。ユニットケース１１は、略直方体形状を成し、天板４の中心に配置されている。
この器具本体２は、個々の照明ユニット３の光源にＬＥＤ等の発光素子が用いられているので、商用電力を直流電流に変換する電力変換回路を点灯用の回路が含んでいる。
なお、照明ユニット３の光源がＨＩＤランプ等のランプ光源である場合、点灯ユニット６は、安定器を点灯用の回路として備えてもよい。
【００１７】
図３は支持装置１０の斜視図であり、図４は支持装置１０の組立図である。
支持装置１０は、器具本体２を設置箇所に吊下げ支持する装置であり、器具本体２に加わる振動、及び衝撃を緩衝する機能を備えている。
具体的には、支持装置１０は、一対のアーム部３０、３０、これらアーム部３０、３０を支持する支持バー部３４、及び、これら支持バー部３４とアーム部３０、３０の間に介在するヘリカルアイソレータ３６を備えている。
【００１８】
アーム部３０は、一端部３０Ａが器具本体２に結合される長い板状の部材である。
図１に示すように、器具本体２の天板４の上面４Ｂには、点灯ユニット６を挟んだ両側に一対の結合片２０が固定されており、これら結合片２０にアーム部３０の一端部３０Ａが結合される。
図３に示すように、アーム部３０の一端部３０Ａには、固定孔３８、及び弧状長孔４０が形成されており、固定孔３８にボルトを通して結合片２０に締結される。弧状長孔４０の形状は、固定孔３８を中心とする円周の一部の形状であり、固定孔３８を中心に器具本体２を弧状長孔４０の範囲で回動し、器具本体２の取付角度が調整自在になっている。
【００１９】
アーム部３０の他端部３０Ｂには、上記支持バー部３４に上方から被さるように引っ掛かって支持される引掛部４２が設けられている。この引掛部４２は、アーム部３０の他端部３０Ｂを略９０度に折り曲げ加工して一体に形成されている。
【００２０】
支持バー部３４は、一対のアーム部３０の間に亘って延びる板状の部材であり、中央部３４Ａには、器具本体２の設置箇所にボルト等で取り付ける取付孔４６が形成されている。この支持バー部３４は、上記点灯ユニット６のユニットケース１１が延びる方向に対し、略直交する方向に延び、当該ユニットケース１１の真上に位置する箇所に、上記取付孔４６が形成されている。また支持バー部３４の両端部３４Ｂのそれぞれには、アーム部３０の引掛部４２を受けて下から支持する受け部４８が設けられている。これら受け部４８は、支持バー部３４の両端部３４Ｂの折り曲げ加工により一体に形成されている。
【００２１】
ヘリカルアイソレータ３６は、支持バー部３４からアーム部３０に伝導する振動、及び衝撃を緩衝する、いわゆる緩衝装置の一例である。ヘリカルアイソレータ３６は、上下に平行に並んだ２枚の平板５０、５０と、これら平板５０の間を渡って螺旋状に旋回形成されたワイヤ線５３とを備えている。２枚の平板５０、５０は、それぞれ支持バー部３４の受け部４８と、アーム部３０の引掛部４２に固定される。
そして、工場の振動や運搬機械等の振動、及び衝撃が支持バー部３４に加わった場合、これら振動、及び衝撃がヘリカルアイソレータ３６のワイヤ線５３の弾性作用によって緩衝され、アーム部３０への伝導が抑制される。
【００２２】
ヘリカルアイソレータ３６には、設置箇所に生じる３次元方向のどの方向の振動や衝撃に対しても十分な緩衝性能を有したものが用いられており、これにより、器具本体２の耐振性、及び耐衝撃性の両方を十分に満足した高天井用照明器具１が得られる。
【００２３】
次いで、支持装置１０へのヘリカルアイソレータ３６の組み込みの態様を詳述する。
支持バー部３４の両端部３４Ｂの受け部４８は、図４に示すように、ヘリカルアイソレータ３６の平板５０が載置、固定される平面部５８を有している。この平面部５８は、図３、及び図４に示すように、支持バー部３４の中央部３４Ａから、ヘリカルアイソレータ３６の厚み分以上に下方に下がった位置に形成されている。そして、ヘリカルアイソレータ３６は、図３に示すように、螺旋状のループ状のワイヤ線５３の軸方向Ａが支持バー部３４の延在方向Ｂに直交する姿勢で平面部５８に載置され、固定されている。
一方、アーム部３０の引掛部４２は、平面部５８に対面する平面形状を有し、この引掛部４２にもヘリカルアイソレータ３６の平板５０が固定される。
【００２４】
ここで、支持バー部３４の平面部５８、及びアーム部３０の引掛部４２のそれぞれの端部には、略９０度に折り曲げた折曲片６０が形成されている。
支持バー部３４、及びアーム部３０のそれぞれにおいて、折曲片６０は、互いに同一方向に折り曲げられている（図示例では下方向）。この構成では、図３に示すように、支持バー部３４、及びアーム部３０のそれぞれで折曲片６０を互いに向い合せの方向に折り曲げる場合に比べて、支持バー部３４の平面部５８、及びアーム部３０の引掛部４２の隙間δが大きくなる。これにより、振動や衝撃によってヘリカルアイソレータ３６が弾性変形した場合でも、平面部５８と引掛部４２の接触を回避できる。
【００２５】
特に、この支持装置１０では、全ての折曲片６０の折り曲げの方向が下方向となっているので、支持バー部３４の平面部５８、及びアーム部３０の引掛部４２への塵や埃の堆積を防止できる。
【００２６】
以上説明したように、本実施形態では、支持装置１０が器具本体２に結合される一対のアーム部３０と支持バー部３４とを備え、さらに、これらアーム部３０と支持バー部３４の間にヘリカルアイソレータ３６を介在させた。
これにより、支持バー部３４からアーム部３０に伝導する振動、及び衝撃がヘリカルアイソレータ３６によって緩衝されるので、支持バー部３４を設置箇所に固定して器具本体２を支持する構成の高天井用照明器具１において、十分な耐振性、及び耐衝撃性の両方が得られる。
【００２７】
また本実施形態では、支持バー部３４の平面部５８、及びアーム部３０の引掛部４２のそれぞれの端部に形成された折曲片６０が互いに同一方向に折れ曲がる構成とした。
これにより、支持バー部３４の平面部５８、及びアーム部３０の引掛部４２の隙間δが大きくなり、振動や衝撃によってヘリカルアイソレータ３６が弾性変形した場合でも、平面部５８と引掛部４２の接触を回避できる。
【００２８】
また本実施形態では、支持バー部３４の平面部５８、及びアーム部３０の引掛部４２の全ての折曲片６０の折り曲げ方向を下向きとしたので、支持バー部３４の平面部５８、及びアーム部３０の引掛部４２への塵や埃の堆積を防止できる。
【００２９】
また本実施形態では、一対の平板５０と、これら平板５０の間に渡って螺旋状に旋回形成されたワイヤ線５３とを備えたヘリカルアイソレータ３６を、緩衝装置として、アーム部３０と支持バー部３４に介在させた。
これにより、３次元方向のいずれの方向に振動、及び衝撃が加わる状況下でも、優れた耐振性、及び耐衝撃性の両方を同時に簡単に実現できる。
【００３０】
なお、上述した実施形態は、あくまでも本発明の一態様の例示であり、本発明の要旨の範囲において任意に変形、及び応用が可能である。
【００３１】
図５は、本変形例に係る高天井用照明器具１００の構成を示す図である。なお、同図においては、器具本体２の構成が簡略化して描かれている。また、上述した実施形態と同じ部材については同一の符号を付し、その説明を省略する。
【００３２】
同図に示す高天井用照明器具１００は、支持装置１１０の構成が実施形態の高天井用照明器具１と相違している。
具体的には、この支持装置１１０は、支持バー部１３４の両端部１３４Ｂが一対のアーム部３０の外側まで延びる長さに形成されている点で相違している。この支持装置１１０にあっては、支持バー部１３４の全長が長くできるので、取付孔４６の数を多く設けることができ、設置箇所に強固に固定できる。
【００３３】
また、この高天井用照明器具１００は、ヘリカルアイソレータ３６とは異なる態様の緩衝装置１３６を備えている。この緩衝装置１３６は、十分な耐振性、及び耐衝撃性が得られるものであれば任意であり、例えばゴムやバネ等の弾性部材や、油圧を用いて振動、及び衝撃を緩衝する装置でもよい。
【００３４】
また上述した実施形態、及び変形例において、器具本体２の構成は、支持装置１０に支持される構成であれば、その他は任意である。
【符号の説明】
【００３５】
１、１００  高天井用照明器具
２  器具本体
３  照明ユニット
４  天板
６  点灯ユニット
１０、１１０  支持装置
１１  ユニットケース
２０  結合片
３０  アーム部
３４、１３４  支持バー部（バー部）
３６  ヘリカルアイソレータ（緩衝装置）
４２  引掛部
４８  受け部
５０  平板
５３  ワイヤ線
５８  平面部
６０  折曲片
１３６  緩衝装置
【図１】
0006682776.tif 000002
【図２】
0006682776.tif 000003
【図３】
0006682776.tif 000004
【図４】
0006682776.tif 000005
【図５】
0006682776.tif 000006